(57)【要約】【課題】  複数の無線伝送装置で構成される無線伝送システムでの障害にかかわらず信号伝送を確保した無線伝送装置及び無線伝送システムを提供する。【解決手段】  ＰＤＨデータ信号列を複数の無線伝送装置Ａ，Ｂ，Ｃとの間で伝送するための装置間ケーブル１１，１２，１３をメッシュ状に配設する。また、各無線伝送装置は装置間ケーブルの接続状態を切り替えるためのクロスコネクト回路Ａ５，Ｂ５，Ｃ５と、当該装置間ケーブルにおける信号伝送の障害を検出するケーブル監視回路Ａ７，Ｂ７，Ｃ７とを備える。クロスコネクト回路はケーブル監視回路から出力される障害情報に基づいて装置間ケーブルの接続状態を切り替え可能にする。障害が生じたときに障害が生じた装置間ケーブルとは異なる他の装置間ケーブルを経由して信号伝送を行うことができ、ＰＤＨデータ信号列の伝送が確保される。【選択図】  図１
2008219684.tif 000002
【特許請求の範囲】
【請求項１】
ＰＤＨ（Plesiochronous Digital Hierarchy )データ信号列を無線フレームデータ信号列に多重、分離して伝送する無線伝送装置において、前記ＰＤＨデータ信号列を他の無線伝送装置との間で伝送するための装置間ケーブルの接続状態を切り替えるためのクロスコネクト回路と、前記装置間ケーブルを経由する信号伝送の障害を検出するケーブル監視回路とを備え、前記クロスコネクト回路は前記ケーブル監視回路から出力される障害情報に基づいて前記装置間ケーブルの接続状態を切り替え可能にしたことを特徴とする無線伝送装置。
【請求項２】
ＰＤＨデータ信号列を無線フレームデータ信号列に多重、分離して伝送する無線系回路を備える無線伝送装置において、装置間ケーブルを介して他の無線伝送装置に接続され、ＰＤＨデータ信号列の装置間フレーム多重と抽出を行う装置間多重抽出回路と、設定情報に基づいて前記装置間多重抽出回路に対する接続状態を切り替えるクロスコネクト回路と、前記装置間ケーブルを経由しての信号伝送の障害を検出するケーブル監視回路とを備え、前記クロスコネクト回路は前記ケーブル監視回路から出力される障害情報に基づいて前記装置間フレーム多重抽出回路の接続を切り替え可能にしたことを特徴とする無線伝送装置。
【請求項３】
前記装置間多重抽出回路は前記ＰＤＨデータ信号の装置間フレーム多重を行う装置間フレーム多重回路と装置間フレーム抽出を行う装置間フレーム抽出回路を備え、前記クロスコネクト回路はこれら装置間フレーム多重回路と装置間フレーム抽出回路を選択して前記装置間ケーブル及び前記無線系回路に接続することを特徴とする請求項２に記載の無線伝送装置。
【請求項４】
前記クロスコネクト回路は、前記ケーブル監視回路からの障害情報に基づいて障害のある装置間ケーブルを障害のない装置間ケーブルに切り替えて接続することを特徴とする請求項１ないし３のいずれかに記載の無線伝送装置。
【請求項５】
前記クロスコネクト回路はＰＤＨデータ信号列を伝送する有線伝送路に接続されていることを特徴とする請求項２ないし４のいずれかに記載の無線伝送装置。
【請求項６】
前記クロスコネクト回路は前記装置間多重抽出回路を前記無線系回路と有線伝送路の少なくとも一方を選択して接続することを特徴とする請求項５に記載の無線伝送装置。
【請求項７】
前記クロスコネクタ回路と前記有線伝送路との間にＳＤＨ(Synchronous Digital Hierarchy) 信号をＳＤＨフレームデータ信号列に変換するインタフェース回路と、ＳＤＨフレームデータ信号列に対してＰＤＨデータ信号列を多重抽出するＳＤＨ多重抽出回路を備えることを特徴とする請求項５又は６に記載の無線伝送装置。
【請求項８】
前記ケーブル監視回路は、装置間ケーブルの断線等のケーブル自体の障害と、当該装置間ケーブルに接続される他の無線伝送装置の障害の少なくとも一方を検出して障害情報を出力することを特徴とする請求項１ないし７のいずれかに記載の無線伝送装置。
【請求項９】
請求項１ないし７のいずれかに記載の無線伝送装置を複数基備え、これら複数基の無線伝送装置をメッシュ状に配設した装置間ケーブルにより相互に接続し、いずれかの装置間ケーブルを経由して前記ＰＤＨデータ信号列の伝送が不能になったときに、当該装置間ケーブルを迂回する他の装置間ケーブル及びこれに接続される他の無線伝送装置を経由して前記ＰＤＨデータ信号列の伝送を行うようにしたことを特徴とする無線伝送システム。
【請求項１０】
前記他の無線伝送装置は１つの装置間ケーブルを経由して伝送されるＰＤＨデータ信号列を自装置のクロスコネクト回路において折り返し、他の装置間ケーブルを経由して別の無線伝送装置に伝送することを特徴とする請求項９に記載の無線伝送システム。
【発明の詳細な説明】
【技術分野】
【０００１】
本発明はＩＴＵ−Ｔ（International Telecommunication Union-Telecommunication Standardization Sector：国際電気通信連合・電気通信標準化部門）) 等で標準化されているＰＤＨ（Plesiochronous Digital Hierarchy )データ信号列を無線フレームデータ信号列に多重、分離して伝送する無線伝送装置に関し、特に無線伝送装置間を相互に装置間ケーブルで接続して無線伝送システムを構築したときに、無線伝送装置の障害発生や装置間ケーブルでの障害発生によるＰＤＨデータ信号列の不通を最小限に抑えることを可能にした無線伝送装置及び無線伝送システムに関するものである。
【背景技術】
【０００２】
従来のアクセス系無線伝送システムでは複数のＰＤＨデータ信号列を無線フレームデータ列に多重、分離することで１対１の無線伝送を行うものが主流であったが、近年、ネットワーク規模の拡大に伴い、多方向分岐の無線伝送路をもち、任意の無線伝送路間にＰＤＨデータ信号列を伝送する無線伝送システムの必要性が高まっている。例えば、特許文献１の無線伝送装置がある。この種の無線伝送システムを実現する従来の無線伝送装置を図５を参照して説明する。無線伝送装置Ｄ，Ｅ，Ｆはそれぞれ異なる場所に配設されており、それそれ同じ構成である。無線伝送装置Ｄを代表して説明すると、変復調回路Ｄ２，Ｄ１０を備えており、変復調回路Ｄ２は無線伝送路Ｄ１から入力された無線受信信号を復調し、無線フレーム同期を取って無線フレームデータ列を無線多重抽出回路Ｄ３へ出力する。無線多重抽出回路Ｄ３は当該無線フレームデータ列に多重されている複数のＰＤＨデータ信号列を抽出し、マトリクス切替回路Ｄ６へ出力する。同様に、変復調回路Ｄ１０は無線伝送路Ｄ９から入力された無線受信信号を復調し、無線フレーム同期を取って無線フレームデータ列を無線多重抽出回路Ｄ１１へ出力する。無線多重抽出回路Ｄ１１は当該無線フレームデータ列に多重されている複数のＰＤＨデータ信号列を抽出し、マトリクス切替回路Ｄ６へ出力する。
【０００３】
マトリクス切替回路Ｄ６はＳＤＨ(Synchronous Digital Hierarchy) 多重回路Ｄ５，Ｄ７と無線多重抽出回路Ｄ３，Ｄ１１との間の接続路を切り替えることが可能であり、例えば無線多重抽出回路Ｄ３から入力された複数のＰＤＨデータ信号列をユーザの指定する伝送先につながるＳＤＨ多重回路Ｄ５，Ｄ７もしくは無線多重抽出回路Ｄ１１へ出力する。逆に、無線多重抽出回路Ｄ１１から入力された複数のＰＤＨデータ信号列をユーザの指定する伝送先につながるＳＤＨ多重回路Ｄ５，Ｄ７もしくは無線多重抽出回路Ｄ３へ出力する。そして、例えば、無線多重抽出回路Ｄ１１においてマトリクス切替回路Ｄ６から入力される切替後の複数のＰＤＨデータ信号列は無線フレームデータ列に多重され、変復調回路Ｄ１０経由で無線伝送路Ｄ９に送出される。また、ＳＤＨ多重抽出回路Ｄ５、Ｄ７はそれぞれマトリクス切替回路Ｄ６から入力される切り替え後の複数のＰＤＨデータ信号列をＳＤＨフレームデータ列に多重し、インタフェース回路Ｄ４，Ｄ８において前記ＳＤＨフレームデータ列をＳＤＨ信号に変換して外部へ出力する。無線伝送装置Ｅ，Ｆも同じ構成であり、無線伝送装置Ｄの各部と同一部分には同じ数値符号を付している。
【０００４】
前記無線伝送装置Ｄのインタフェース回路Ｄ８は有線伝送路、例えばケーブル２１を介して他の無線伝送装置Ｅのインタフェース回路Ｅ４に接続されている。また、無線伝送装置Ｅのインタフェース回路Ｅ８はケーブル２２を介して無線伝送装置Ｆのインタフェース回路Ｆ４に接続されている。なお、無線伝送装置Ｄのインタフェース回路Ｄ４はケーブル２０を介して図示されない他の無線伝送装置のインタフェース回路に接続されることになる。そして、無線伝送装置Ｅは無線伝送装置Ｄのインタフェース回路Ｄ８から入力されたＳＤＨ信号をインタフェース回路Ｅ４においてＳＤＨフレームデータ列に変換し、ＳＤＨ多重抽出回路Ｅ５において前記ＳＤＨフレームデータ列に多重されている複数のＰＤＨデータ信号列を抽出してマトリクス切替回路Ｅ６へ出力する。マトリクス切替回路Ｅ６はユーザの指定する伝送先へ前記複数のＰＤＨデータ信号列を切り替えた後、無線多重抽出回路Ｅ３，Ｅ１１で無線フレームデータ列へ多重し、変復調回路Ｅ２，Ｅ１０で変調を行って無線伝送路Ｅ１，Ｅ９へ出力する。また、ＳＤＨ多重抽出回路Ｅ７において切り替え後の複数のＰＤＨデータ信号列をＳＤＨフレームデータ列に多重し、インタフェース回路Ｅ８経由でＳＤＨ信号に変換して無線伝送装置Ｆへ伝送する。無線伝送装置Ｆは無線伝送装置Ｅのインタフェース回路Ｅ８から入力されるＳＤＨ信号に対して無線伝送装置Ｅと同様の動作をすることにより、各装置に接続される任意の無線伝送路間に対してＰＤＨデータ信号列を伝送することが可能となる。
【０００５】
図５に示した従来の無線伝送システムにおいては、複数の無線伝送装置をケーブルにより縦続接続した構成となっているため、次のような課題がある。第１の課題はいずれかの無線伝送装置が故障した場合、あるいは無線伝送装置間を接続しているケーブルに障害が生じた場合に、当該無線伝送装置を介在させた無線伝送装置間でのＰＤＨデータ信号列の伝送ができなくなるということである。例えば、図５において無線伝送装置Ｅが故障した場合、或いは無線伝送装置ＤとＥを接続するケーブルに障害が生じた場合には、無線伝送装置Ｄ−Ｆ間のＰＤＨデータ信号列の伝送ができなくなる。すなわち、無線伝送装置Ｄの無線伝送路から伝送されたＰＤＨデータ信号列を無線伝送装置Ｆの無線伝送路に伝送する際に必ず無線伝送装置Ｅ及び無線伝送装置ＤとＥを接続しているケーブルを経由するためである。
【０００６】
第２の課題は、無線伝送装置Ｄ−Ｆ間、無線伝送装置Ｅ−Ｆ間を伝送するＰＤＨデータ信号列の本数に制限があるということである。その理由は無線伝送装置間をＳＤＨ信号で縦続接続した構成であるため、無線伝送装置Ｄ−Ｆ間、無線伝送装置Ｅ−Ｆ間にＰＤＨデータ信号列を伝送するためにはどちらも無線伝送装置Ｅ−Ｆ間を伝送するＳＤＨ信号に多重する必要があり、ＳＤＨ信号に収容可能なＰＤＨデータ信号列の本数までしか伝送できないためである。
【特許文献１】特開２００５−２４４３２８号公報
【特許文献２】特開２００４−３６４２８７号公報
【発明の開示】
【発明が解決しようとする課題】
【０００７】
このような第１及び第２の課題に対し、特許文献２には、複数の基盤要素に他の基盤要素と通信するための指向性アンテナを備えて無線メッシュネットワーク環境を構築し、任意の伝送路間を伝送する伝送ルートを複数確保する技術が提案されている。この特許文献２の技術は無線伝送路でメッシュネットワーク環境を構成するものであり、無線伝送装置間を装置間ケーブルで接続する技術ではないので、装置間ケーブルを介してＰＤＨデータ信号列を伝送する特許文献１の技術に適用することはできない。
【０００８】
本発明の目的は以上の課題を解決し、無線伝送装置における障害やケーブル障害にかかわらず無線伝送装置間でのＰＤＨデータ信号列の伝送を確保した無線伝送装置及び無線伝送システムを提供することにある。
【課題を解決するための手段】
【０００９】
本発明の無線伝送装置は、ＰＤＨデータ信号列を他の無線伝送装置との間で伝送するための装置間ケーブルの接続状態を切り替えるためのクロスコネクト回路と、当該装置間ケーブルを経由する信号伝送の障害を検出するケーブル監視回路とを備え、クロスコネクト回路はケーブル監視回路から出力される障害情報に基づいて装置間ケーブルの接続状態を切り替え可能にしたことを特徴とする。
【００１０】
特に、本発明の無線伝送装置においては、装置間ケーブルを介して他の無線伝送装置に接続され、ＰＤＨデータ信号列の装置間フレーム多重と抽出を行う装置間多重抽出回路と、設定情報に基づいて装置間多重抽出回路に対する接続状態を切り替えるクロスコネクト回路と、装置間ケーブルを経由しての信号伝送の障害を検出するケーブル監視回路とを備え、クロスコネクト回路は前記ケーブル監視回路から出力される障害情報に基づいて装置間フレーム多重抽出回路の接続を切り替え可能に構成することが好ましい。
【００１１】
本発明の無線伝送システムは、本発明にかかる無線伝送装置を複数基備え、これら複数基の無線伝送装置をメッシュ状に配設した装置間ケーブルにより相互に接続し、いずれかの装置間ケーブルを経由してＰＤＨデータ信号列の伝送が不能になったときに、当該装置間ケーブルを迂回する他の装置間ケーブル及びこれに接続される他の無線伝送装置を経由してＰＤＨデータ信号列の伝送を行うようにしたことを特徴とする。この場合において、他の無線伝送装置は１つの装置間ケーブルを経由して伝送されるＰＤＨデータ信号列を自装置のクロスコネクト回路において折り返し、他の装置間ケーブルを経由して別の無線伝送装置に伝送する構成とする。
【発明の効果】
【００１２】
本発明の無線伝送装置によれば、自装置に接続される装置間ケーブルを経由する信号伝送の障害をケーブル監視回路により監視し、障害が生じたときにクロスコネクト回路により装置間ケーブルの接続状態を切り替えるので、障害が生じた装置間ケーブルとは異なる他の装置間ケーブルを経由して信号伝送を行うことができ、ＰＤＨデータ信号列の伝送が確保される。また、ＰＤＨデータ信号列を装置間フレームデータ信号列に多重して伝送することにより、ＰＤＨデータ信号列がＳＤＨデータ信号列の本数に制限されることがない。
【００１３】
本発明の無線伝送システムによれば、複数の無線伝送装置を接続する装置間ケーブルをメッシュ状に配設していので、無線伝送装置や装置間ケーブルに障害が生じても障害に無関係な装置間ケーブルや無線伝送装置を経由してのＰＤＨデータ信号列の伝送が確保される。特に、装置間ケーブルや無線伝送装置を必要に応じて増設した場合でも他の無線伝送装置や装置間ケーブルを変更する必要がなく、好適なシステムが自由に構築することができる。
【発明を実施するための最良の形態】
【００１４】
本発明の無線伝送装置は、次のように構成することが好ましい。
（１）装置間多重抽出回路はＰＤＨデータ信号の装置間フレーム多重を行う装置間フレーム多重回路と装置間フレーム抽出を行う装置間フレーム抽出回路を備え、クロスコネクト回路はこれら装置間フレーム多重回路と装置間フレーム抽出回路を選択して装置間ケーブル及び無線系回路に接続する。
（２）クロスコネクト回路は、ケーブル監視回路からの障害情報に基づいて障害のある装置間ケーブルを障害のない装置間ケーブルに切り替えて接続する。
（３）クロスコネクト回路はＰＤＨデータ信号列を伝送する有線伝送路に接続される。
（４）クロスコネクト回路は装置間多重抽出回路を無線系回路と有線伝送路の少なくとも一方を選択して接続する。
（５）クロスコネクト回路と有線伝送路との間にＳＤＨ信号をＳＤＨフレームデータ信号列に変換するインタフェース回路と、ＳＤＨフレームデータ信号列に対してＰＤＨデータ信号列を多重抽出するＳＤＨ多重抽出回路を備える。
（６）ケーブル監視回路は、装置間ケーブルの断線等のケーブル自体の障害と、当該装置間ケーブルに接続される他の無線伝送装置の障害の少なくとも一方を検出して障害情報を出力する。
【実施例１】
【００１５】
次に、本発明の実施形態を図面を参照して説明する。図１は本発明の実施例１の無線伝送システムのブロック図であり、ここでは説明を判り易くするために３基の無線伝送装置Ａ，Ｂ，Ｃでシステムを構築した例を示している。これらの無線伝送装置Ａ，Ｂ，Ｃは後述するようにメッシュ状に配設された装置間ケーブル１１，１２，１３を介して相互にケーブル接続されている。無線伝送装置Ａは無線伝送系として変復調回路Ａ１，Ａ４と無線多重抽出回路Ａ２，Ａ３を備えている。これら無線多重抽出回路Ａ２，Ａ３はクロスコネクト回路Ａ５にそれぞれ接続される。このクロスコネクト回路Ａ５は有線伝送路Ａ１０に接続される一方で、装置間多重抽出回路Ａ６に接続され、この装置間多重抽出回路Ａ６を介して他の無線伝送装置Ｂ，Ｃに対して後述する装置間ケーブル１１，１２によりケーブル接続されている。また、無線伝送装置Ａはこれら装置間ケーブル１１，１２の障害を監視するためのケーブル監視回路Ａ７を備えている。
【００１６】
変復調回路Ａ１は無線伝送路Ａ８から入力される無線受信信号ａ８０１を復調し、フレーム同期を確立して無線受信フレームデータ信号列ａ１０１を無線多重抽出回路Ａ２へ出力する。また、変復調回路Ａ１は無線多重抽出回路Ａ２から入力される無線送信フレームデータ信号列ａ２０２に変調をかけて無線送信信号ａ１０２を無線伝送路Ａ８へ出力する。同様に、変復調回路Ａ４は無線伝送路Ａ９から入力される無線受信信号ａ９０１を復調し、フレーム同期を確立して無線受信フレームデータ信号列ａ４０１を無線多重抽出回路Ａ３へ出力する。また、変復調回路Ａ４は無線多重抽出回路Ａ３から入力される無線送信フレームデータ信号列ａ３０２に変調をかけて無線送信信号ａ４０２を無線伝送路Ａ９へ出力する。
【００１７】
無線多重抽出回路Ａ２は無線受信フレームデータ信号列ａ１０１に多重されている複数のＰＤＨデータ信号列ａ２０１を抽出しクロスコネクト回路Ａ５へ出力する。また、クロスコネクト回路Ａ５から入力される切り替え後の複数のＰＤＨデータ信号列ａ５０２を無線フレームに多重し、無線送信フレームデータ信号列ａ２０２を変復調回路Ａ１に出力する。同様に、無線多重抽出回路Ａ３は無線受信フレームデータ信号列ａ４０１に多重されている複数のＰＤＨデータ信号列ａ３０１を抽出しクロスコネクト回路Ａ５へ出力する。また、クロスコネクト回路Ａ５から入力される切り替え後の複数のＰＤＨデータ信号列ａ５０３を無線フレームに多重し、無線送信フレームデータ信号列ａ３０２を変復調回路Ａ４に出力する。
【００１８】
クロスコネクト回路Ａ５は無線多重抽出回路Ａ２，Ａ３と有線伝送路Ａ１０から入力される複数のＰＤＨデータ信号列ａ２０１，ａ３０１，ａ１００１、及び装置間多重抽出回路Ａ６から入力される複数のＰＤＨデータ信号列ａ６０１を外部から入力されるユーザ設定情報ａ１１０１に基づいてクロスコネクトし、クロスコネクト後の複数のＰＤＨデータ信号列ａ５０２，ａ５０３，ａ５０４，ａ５０１を無線多重抽出回路Ａ２，Ａ３、有線伝送路Ａ１０及び装置間多重抽出回路Ａ６へ出力する。このクロスコネクト回路Ａ５はケーブル監視回路Ａ７から入力される入力断情報ａ７０１に基づいても同様のクロスコネクト動作が可能である。
【００１９】
装置間多重抽出回路Ａ６は、図１には表れないが図２を参照して後述するように、複数の装置間フレーム多重回路と装置間フレーム抽出回路で構成されており、装置間フレーム多重回路はクロスコネクト回路Ａ５から入力されるＰＤＨデータ信号列ａ５０１を装置ＡＢ間フレームデータ信号列ａ６０３と装置ＡＣ間フレームデータ信号列ａ６０２に多重し、装置間ケーブル１１，１２経由で無線伝送装置Ｂ及び無線伝送装置Ｃへ出力する。また、装置間フレーム抽出回路は無線伝送装置Ｂ，Ｃの装置間多重抽出回路Ｂ６，Ｃ６から入力される装置ＢＡ間フレームデータ信号列ｂ６０３、装置ＣＡ間フレームデータ信号列ｃ６０２に多重されている複数のＰＤＨデータ信号列を抽出し、クロスコネクト回路Ａ５へ出力する。
【００２０】
ケーブル監視回路Ａ７は装置間ケーブル１１，１２の障害を監視するために、ここでは装置ＢＡ間フレームデータ信号列ｂ６０３および装置ＣＡ間フレームデータ信号列ｃ６０２の信号断検出を行う。そして障害監視信号としての入力断情報ａ７０１を障害情報としてクロスコネクト回路Ａ５へ出力し、クロスコネクト回路Ａ５の接続状態を切り替えるようにする。すなわち、クロスコネクト回路Ａ５は前記したユーザ設定情報ａ１１０１とこの障害情報ａ７０１とによって切替動作が行われることになる。
【００２１】
無線伝送装置Ｂ，Ｃについても無線伝送装置Ａと同じ構成であるので、同一部分には同一数値の符号を付してあり、各部の説明は省略する。その上で、無線伝送装置Ａ，Ｂ，Ｃはそれぞれの装置間多重抽出回路Ａ６，Ｂ６，Ｃ６を介して相互に装置間ケーブル１１，１２，１３でケーブル接続されている。このとき、図２にも示されるように、一方の無線伝送装置の装置間多重抽出回路内の装置間フレーム多重回路は対向する無線伝送装置の装置間多重抽出回路内の装置間フレーム抽出回路に接続するように接続が行われる。ここで、無線伝送装置Ａのケーブル監視回路Ａ７は装置間ケーブル１１，１２の障害を監視することは前記した通りであるが、無線伝送装置Ｂのケーブル監視回路Ｂ７は装置間ケーブル１１，１３の障害を監視し、無線伝送装置Ｃのケーブル監視回路Ｃ７は装置間ケーブル１２，１３の障害を監視することが可能とされている。
【００２２】
次に実施例１の無線伝送システムの動作を説明する。無線伝送装置Ａについてみると、図１に示したように、変復調回路Ａ１は無線伝送路Ａ８経由で入力される無線受信信号ａ８０１に対して復調処理、無線フレーム同期処理を行った後、無線受信フレームデータ信号列ａ１０１を無線多重抽出回路Ａ２へ出力する。無線多重抽出回路Ａ２は無線受信フレームデータ信号列ａ１０１に多重されている複数のＰＤＨデータ信号列ａ２０１を抽出しクロスコネクト回路Ａ５へ出力する。このときケーブル監視回路Ａ７からケーブル障害が検出されていないときにはクロスコネクト回路Ａ５はユーザ設定情報ａ１１０１に従って伝送路方向を切り替える。すなわち、クロスコネクト回路Ａ５は無線多重抽出回路Ａ２から入力される複数のＰＤＨデータ信号列ａ２０１をユーザが指定する伝送路方向に切り替え、切り替え後の複数のＰＤＨデータ信号列ａ５０１，ａ５０３，ａ５０４を出力する。
【００２３】
図２は無線伝送装置Ａ，Ｂ，Ｃ間を装置間ケーブル１１，１２，１３を通して伝送するＰＤＨデータ信号列の流れを示す要部のブロック図であり、この図を参照して無線伝送システムの動作を詳細に説明する。クロスコネクト回路Ａ５において無線伝送路Ａ８方向から伝送された複数のＰＤＨデータ信号列ａ２０１のうち、ユーザ設定情報ａ１１０１により有線伝送路Ａ１０方向へ伝送するＰＤＨデータ信号列は切り替え後の複数のＰＤＨデータ信号列ａ５０４の指定したＰＤＨデータ信号列に接続する。また、前記複数のＰＤＨデータ信号列ａ２０１のうち、ユーザ設定情報ａ１１０１により無線伝送路Ａ８，Ａ９方向に伝送するＰＤＨデータ信号列は切り替え後の複数のＰＤＨデータ信号列ａ５０２，ａ５０３の指定したＰＤＨデータ信号列に接続し、無線多重抽出回路Ａ２，Ａ３において無線送信フレームデータ信号列に多重後、変復調回路Ａ１，Ａ４において変調をおこなって無線伝送路Ａ８，Ａ９へ出力する。さらに、前記複数のＰＤＨデータ信号列ａ２０１のうち、無線伝送装置Ｂの無線伝送路Ｂ８，Ｂ９方向に伝送する複数のＰＤＨデータ信号列は装置間多重抽出回路Ａ６に備えた装置ＡＢ間フレーム多重回路Ａ６１へ、無線伝送装置Ｃの無線伝送路Ｃ８，Ｃ９方向に伝送する複数のＰＤＨデータ信号列は装置ＡＣ間フレーム多重回路Ａ６２へ出力する。
【００２４】
ここで、図２及び図３（ａ）の太実線で示すように、装置間ケーブル１１を経由して無線伝送装置Ａから無線伝送装置Ｂに伝送を行う場合には、前記無線伝送装置Ｂ方向に伝送する複数のＰＤＨデータ信号列は装置ＡＢ間フレーム多重回路Ａ６１で装置ＡＢ間フレームデータ信号列に多重後、装置間ケーブル１１経由で無線伝送装置Ｂに伝送される。無線伝送装置Ｂは装置間多重抽出回路Ｂ６に備えた装置ＡＢ間フレーム抽出回路Ｂ６１において装置ＡＢ間フレームデータ信号列ａ６０３に多重されている複数のＰＤＨデータ信号列を抽出しクロスコネクト回路Ｂ５へ出力する。クロスコネクト回路Ｂ５は複数のＰＤＨデータ信号列をユーザ設定情報ｂ１１０１に従って切り替えることにより無線伝送路Ｂ８，Ｂ９もしくは有線伝送路Ｂ１０方向へ伝送する。あるいは、クロスコネクト回路Ｂ５は無線伝送装置Ｂの自身の装置間多重抽出回路Ｂ６の装置ＢＣ間フレーム多重回路（図示せず）に伝送することも可能である。
【００２５】
同様に図２及び図３（ａ）の破線で示すように、装置間ケーブル１２を経由して無線伝送装置Ａから無線伝送装置Ｃに伝送を行う場合には、無線伝送装置Ｃ方向に伝送する複数のＰＤＨデータ信号列は装置ＡＣ間フレーム多重回路Ａ６２において装置ＡＣ間フレームデータ信号列に多重後、ケーブル１２経由で無線伝送装置Ｃに伝送される。無線伝送装置Ｃは装置間多重抽出回路Ｃ６に備えた装置ＡＣ間フレーム抽出回路Ｃ６１において装置ＡＣ間フレームデータ信号列ａ６０２に多重されている複数のＰＤＨデータ信号列を抽出し、クロスコネクト回路Ｃ５へ出力する。クロスコネクト回路Ｃ５は複数のＰＤＨデータ信号列をユーザ設定情報ｃ１１０１に従って切り替えることにより無線伝送路Ｃ８，Ｃ９もしくは有線伝送路Ｃ１０方向へ伝送する。あるいは、クロスコネクト回路Ｃ５は無線伝送装置Ｃの自身の装置間多重抽出回路Ｃ６の装置ＡＣ間フレーム多重回路Ｃ６２に伝送することも可能である。
【００２６】
このようにして無線伝送路Ａ８から伝送された複数のＰＤＨデータ信号列をユーザが指定した任意の無線、有線伝送路に伝送することが可能となる。無線伝送路Ａ９及び有線伝送路Ａ１０から任意の無線伝送路、有線伝送路へ複数のＰＤＨデータ信号列を伝送する動作も前述の無線伝送路Ａ８から任意の無線伝送路、有線伝送路へ複数のＰＤＨデータ信号列を伝送する動作と同様である。無線伝送装置Ａ，Ｂ，Ｃは同じ構成のため任意の無線伝送路、有線伝送路間における複数のＰＤＨデータ信号列の伝送が可能となる。特に、無線伝送装置Ａ，Ｂ，Ｃ間においてはＳＤＨ信号に多重することなくＰＤＨデータ信号列を伝送することで、ＰＤＨデータ信号列がＳＤＨ信号に収容可能な本数に制限されることもない。
【００２７】
次に障害発生時の動作について説明する。図３（ｂ）に示すように、今無線伝送装置ＡとＢを接続する装置間ケーブル１１に断線等の障害が生じたものとすると、無線伝送装置ＡとＢ間の伝送は不可能になる。このとき、無線伝送装置Ａのケーブル監視回路Ａ７と無線伝送装置Ｂのケーブル監視回路Ｂ７はそれぞれ装置間ケーブル１１の断線を検出し、その障害情報をそれぞれクロスコネクト回路Ａ５とクロスコネクト回路Ｂ５に出力し、各クロスコネクト回路Ａ５，Ｂ５を切り替える。クロスコネクト回路Ａ５は装置間多重抽出回路Ａ６の装置ＡＣ間フレーム多重回路Ａ６２に接続し、クロスコネクタ回路Ｂ５は装置間多重抽出回路Ｂ６の装置ＢＣ間フレーム抽出回路Ｂ６２に接続する。
【００２８】
これにより、無線伝送装置Ａの装置ＡＣ間フレーム多重回路Ａ６２からのＰＤＨデータ信号列は正常な装置間ケーブル１２を経由して無線伝送装置Ｃの装置ＡＣ間フレーム抽出回路Ｃ６１に伝送される。伝送された信号はクロスコネクト回路Ｃ５において自身の装置ＢＣ間フレーム多重回路Ｃ６２に折り返され、ここから装置間ケーブル１３により接続されている無線伝送装置Ｂの装置ＢＣ間フレーム抽出回路Ｂ６２に伝送される。したがって、無線伝送装置Ａの任意の無線、有線伝送路から無線伝送装置Ｂの任意の無線、有線伝送路へＰＤＨデータ信号列を正常に伝送することが可能となる。
【００２９】
このように、実施例１の無線伝送装置Ａ，Ｂ，Ｃは装置間ケーブル１１，１２，１３を経由する信号伝送の障害、ここでは各装置間ケーブル１１，１２，１３の断線等の障害や、これら装置間ケーブルに接続される相手方の無線伝送装置における障害をケーブル監視回路Ａ７，Ｂ７，Ｃ７により監視し、障害が生じたときにそれぞれのクロスコネクト回路Ａ６，Ｂ６，Ｃ６により装置間ケーブル１１，１２，１３につながる装置間多重抽出回路Ａ５，Ｂ５，Ｃ５の接続状態、すなわち装置間多重抽出回路Ａ５，Ｂ５，Ｃ５を構成している多重回路や抽出回路の相互接続や、これらと無線伝送路Ａ８，Ａ９，Ｂ８，Ｂ９，Ｃ８，Ｃ９や有線伝送路Ａ１０，Ｂ１０，Ｃ１０に対する接続を切り替えるので、障害が生じた装置間ケーブルとは異なる他の装置間ケーブルや無線伝送装置を経由して信号伝送を行うことができ、ＰＤＨデータ信号列の伝送を確保することができる。
【００３０】
また、この無線伝送装置Ａ，Ｂ，Ｃでは、装置間多重抽出回路Ａ５，Ｂ５，Ｃ５の装置間フレーム多重回路でＰＤＨデータ信号列を装置間フレームデータ信号列に多重して伝送し、伝送された装置間フレームデータ信号列を装置間多重抽出回路Ａ５，Ｂ５，Ｃ５の装置間フレーム抽出回路でＰＤＨデータ信号列を抽出することにより、図５に示したＳＤＨデータ信号列に多重して伝送を行う従来技術のようにＰＤＨデータ信号列がＳＤＨデータ信号列の本数に制限されることがない。
【００３１】
さらに、実施例１の無線伝送システムによれば、複数の無線伝送装置Ａ，Ｂ，Ｃを接続する装置間ケーブル１１，１２，１３をメッシュ状に配設していので、いずれかの無線伝送装置や装置間ケーブルに障害が生じても障害に無関係な装置間ケーブルや無線伝送装置を経由してのＰＤＨデータ信号列の伝送が確保される。さらに、装置間ケーブルや無線伝送装置を必要に応じて増設した場合でも他の無線伝送装置や装置間ケーブルを変更する必要がなく、好適なシステムが自由に構築することができる。
【実施例２】
【００３２】
図４は本発明の実施例２の無線伝送装置のブロック図であり、ここでは実施例１で説明した無線伝送装置Ａに実施例２の構成を適用した構成を示している。無線伝送装置Ｂ，Ｃについては図示していないが同様の構成である。実施例２では、クロスコネクト回路Ａ５と有線伝送路Ａ１０の間にＳＤＨ多重抽出回路Ａ１１とインタフェース回路Ａ１２を設けていることが特徴である。インタフェース回路Ａ１２は外部有線伝送路から入力されるＳＤＨ信号をＳＤＨフレームデータ信号列に変換し、ＳＤＨ多重抽出回路Ａ１１は前記ＳＤＨフレームデータ信号列から複数のＰＤＨデータ信号列を抽出してクロスコネクト回路Ａ５に出力する。また、ＳＤＨ多重抽出回路Ａ１１においてクロスコネクト回路Ａ５から入力される切り替え後の複数のＰＤＨデータ信号列をＳＤＨフレームデータ信号列に多重し、インタフェース回路Ａ１２でＳＤＨ信号に変換して有線伝送路Ａ１０へ出力する。
【００３３】
このように、実施例２では、ＳＤＨフレームデータ信号列から複数のＰＤＨデータ信号列を多重、分離する機能を設けることにより、任意の無線伝送路とＳＤＨインタフェースを持つ有線伝送路間のＰＤＨデータ信号列の伝送が可能となるという効果が得られる。各無線伝送装置Ａ，Ｂ，Ｃを接続する装置間ケーブルにおける障害の発生に対しても各装置間でのＰＤＨデータ信号列の伝送が可能であることは実施例１と同じである。
【００３４】
なお、本発明において、以上説明した実施例では本発明の説明を簡略化するために３基の無線伝送装置Ａ，Ｂ，Ｃで構成される無線伝送システムについて説明したが、４基以上の多数の無線伝送装置で構成される無線伝送システムについても本発明を同様に適用することができる。すなわち、多数の無線伝送装置を装置間ケーブルによりメッシュ状に接続し、各無線伝送装置に設けたケーブル障害監視回路により装置間ケーブルの障害を検出したときに、自装置のクロスコネクト回路により装置間多重抽出回路に対する接続状態を切り替えることにより、障害が生じた装置間ケーブルを迂回して目的の無線伝送装置へのＰＤＨ信号列の伝送を実現することが可能になる。
【図面の簡単な説明】
【００３５】
【図１】実施例１の無線伝送装置及び無線伝送システムの構成図である。
【図２】図１の要部の詳細ブロック図である。
【図３】実施例１の動作を説明するブロック図である。
【図４】実施例２の無線伝送装置のブロック図である。
【図５】従来の無線伝送装置の一例のブロック図である。
【符号の説明】
【００３６】
Ａ〜Ｆ  無線伝送装置
Ａ１，Ｂ１，Ｃ１  変復調回路
Ａ２，Ｂ２，Ｃ２  無線多重抽出回路
Ａ３，Ｂ３，Ｃ３  無線多重抽出回路
Ａ４，Ｂ４，Ｃ４  変復調回路
Ａ５，Ｂ５，Ｃ５  クロスコネクト回路
Ａ６，Ｂ６，Ｃ６  装置間多重抽出回路
Ａ７，Ｂ７，Ｃ７  ケーブル監視回路
Ａ８，Ｂ８，Ｃ８  無線伝送路
Ａ９，Ｂ９，Ｃ９  無線伝送路
Ａ１０，Ｂ１０，Ｃ１０  有線伝送路
１１，１２，１３  装置間ケーブル
【図１】
2008219684.tif 000003
【図２】
2008219684.tif 000004
【図３】
2008219684.tif 000005
【図４】
2008219684.tif 000006
【図５】
2008219684.tif 000007